(57)【要約】【課題】ユーザに低温やけどを生じさせないように電子機器を動作させるために、ユーザに電子機器の動作状態を把握させながら設定温度を変更させることができない、といった課題を解決する。【解決手段】電子機器１は、制御部１１、操作部１２、表示部１３、電子機器１の表面温度を検出する温度検出部１４を有する。制御部１１は、温度検出部１４で検出された表面温度が設定温度を上回る場合、表面温度を設定温度以下に制限するように電子機器１の動作を変更する。制御部１１は、操作部１２で設定温度を変更するユーザ操作である温度変更操作を受け付けた後、又は受け付ける前に、状態情報を表示部１３に表示させる。状態情報は、表面温度が変更後の設定温度以下に制限されるように電子機器１を動作させたときの電子機器１の動作状態を示す情報である。【選択図】図１
2019091278.tif 000002
【特許請求の範囲】
【請求項１】
操作部、表示部、及び制御部を有する電子機器であって、
前記電子機器の表面温度を検出する温度検出部をさらに有し、
前記制御部は、
前記温度検出部で検出された表面温度が設定温度を上回る場合、前記表面温度を前記設定温度以下に制限するように前記電子機器の動作を変更し、
前記操作部で前記設定温度を変更するユーザ操作である温度変更操作を受け付けた後、又は前記温度変更操作を受け付ける前に、前記表面温度が変更後の設定温度以下に制限されるように前記電子機器を動作させたときの前記電子機器の動作状態を示す状態情報を、前記表示部に表示させる、
電子機器。
【請求項２】
前記制御部は、前記温度変更操作に応じた変更を実行する前に、前記状態情報を前記表示部に表示させる、
請求項１に記載の電子機器。
【請求項３】
前記制御部は、前記状態情報を前記表示部に表示させた状態で、前記操作部から前記設定温度の変更を決定するユーザ操作を受け付けた場合に、前記設定温度の変更を実行する、
請求項２に記載の電子機器。
【請求項４】
前記制御部は、
前記設定温度を変更するための設定画像を、前記表示部に表示させ、
前記操作部で前記温度変更操作を受け付けた場合、前記設定画像を、前記状態情報を含むように更新する、
請求項１から３のいずれか１項に記載の電子機器。
【請求項５】
前記制御部は、前記状態情報とともに、前記表面温度が前記変更後の設定温度である場合の低温やけどの危険度を示す情報を、前記表示部に表示させる、
請求項１から４のいずれか１項に記載の電子機器。
【請求項６】
前記操作部は、前記温度変更操作として、前記電子機器の動作状態に対応する設定モードを選択するユーザ操作を受け付ける、
請求項１から５のいずれか１項に記載の電子機器。
【請求項７】
前記制御部は、前記設定温度の変更が実行され、実際に前記温度検出部で検出された表面温度が前記設定温度になった場合、前記設定温度になったことを通知する通知情報を、前記表示部に表示させる、
請求項１から６のいずれか１項に記載の電子機器。
【請求項８】
前記電子機器は、通信部を有する通信装置であり、
前記電子機器の動作状態は、前記通信部での通信状態を含む、
請求項１から７のいずれか１項に記載の電子機器。
【請求項９】
電子機器によって実行される温度設定方法であって、
前記電子機器は、前記電子機器の表面温度を検出する温度検出部を有し、
当該温度設定方法は、
前記温度検出部で検出された表面温度が設定温度を上回る場合、前記表面温度を前記設定温度以下に制限するように前記電子機器の動作を変更し、
前記設定温度を変更するユーザ操作である温度変更操作を受け付けた後、又は前記温度変更操作を受け付ける前に、前記表面温度が変更後の設定温度以下に制限されるように前記電子機器を動作させたときの前記電子機器の動作状態を示す状態情報を表示する、
温度設定方法。
【請求項１０】
電子機器に実行させるための制御プログラムであって、
前記電子機器は、前記電子機器の表面温度を検出する温度検出部を有し、
当該制御プログラムは、
前記温度検出部で検出された表面温度が設定温度を上回る場合、前記表面温度を前記設定温度以下に制限するように前記電子機器の動作を変更し、
前記設定温度を変更するユーザ操作である温度変更操作を受け付けた後、又は前記温度変更操作を受け付ける前に、前記表面温度が変更後の設定温度以下に制限されるように前記電子機器を動作させたときの前記電子機器の動作状態を示す状態情報を表示する、
処理を、前記電子機器に実行させるためのプログラムである、
制御プログラム。
【発明の詳細な説明】
【技術分野】
【０００１】
本開示は、電子機器、温度設定方法、及び制御プログラムに関する。
【背景技術】
【０００２】
通信装置等の電子機器には、ユーザの気付かぬうちに、電子機器の表面温度がやけどを発症し得る温度に上昇してしまうのを防ぐために、電子機器の表面温度が一定の温度を超えないように保護を行っているものがある。この保護動作は、電子機器の提供者が予め決めた温度になるようにしている。この温度は、例えば、ＩＳＯ（International Organization for Standardization）１３７３２−１のような規定に示された温度や各提供者が経験上入手した情報を元にした固定の温度などである。
【０００３】
例えば、特許文献１には、熱源となるデバイスの動作を適切に制限できる電子機器が開示されている。特許文献１に記載の電子機器は、熱源となる第１の熱源デバイスと、電子機器の温度を検出する温度センサと、制御部と、を備える。この制御部は、検出された温度が予め設定された動作制限温度以上である場合、電子機器で動作されるアプリケーションの動作状況を取得し、取得したアプリケーションの動作状況に基づき、第１の熱源デバイスの動作を制限するか否かを判定する。
【先行技術文献】
【特許文献】
【０００４】
【特許文献１】特開２０１５−１８４７９２号公報
【発明の概要】
【発明が解決しようとする課題】
【０００５】
ところで、低温やけどが発症する温度は接触を継続する時間により異なり、また、高温と感じる温度は個人毎に異なる。しかしながら、特許文献１に記載の電子機器は、提供者が設定した固定の設定温度を超えないように制御されるため、例えば次の（１）,（２）のように、ユーザの望む動作にならない場合がある。
【０００６】
（１）ユーザは、電子機器の提供者が設定した温度では熱いと感じても、電子機器の表面温度を更に低い温度に抑えることができず、また、上記低い温度に抑えたい場合にも電子機器がどのように動作するのかも分からない。
【０００７】
（２）ユーザは、電子機器の提供者が設定した温度では熱いと感じない場合や、電子機器へのユーザの触れ方等の電子機器の使用方法を工夫することにより低温やけどの危険性を排除できる場合がある。そのような場合、ユーザは、設定温度を高くしてもより高い性能を発揮する動作（例えば通信装置の場合ではより高速な通信を行う動作）を実行させることを希望しても、そのような動作を把握させながら実行させることができない。
【０００８】
本開示の目的は、上述した課題を解決する電子機器、温度設定方法、及び制御プログラムを提供することにある。上記課題は、ユーザに低温やけどを生じさせないように電子機器を動作させるために、ユーザに電子機器の動作状態を把握させながら設定温度を変更させることができないというものである。
【課題を解決するための手段】
【０００９】
本開示の第１の態様に係る電子機器は、
操作部、表示部、及び制御部を有する電子機器であって、
前記電子機器の表面温度を検出する温度検出部をさらに有し、
前記制御部は、
前記温度検出部で検出された表面温度が設定温度を上回る場合、前記表面温度を前記設定温度以下に制限するように前記電子機器の動作を変更し、
前記操作部で前記設定温度を変更するユーザ操作である温度変更操作を受け付けた後、又は前記温度変更操作を受け付ける前に、前記表面温度が変更後の設定温度以下に制限されるように前記電子機器を動作させたときの前記電子機器の動作状態を示す状態情報を、前記表示部に表示させるものである。
【００１０】
本開示の第２の態様に係る温度設定方法は、
電子機器によって実行される温度設定方法であって、
前記電子機器は、前記電子機器の表面温度を検出する温度検出部を有し、
当該温度設定方法は、
前記温度検出部で検出された表面温度が設定温度を上回る場合、前記表面温度を前記設定温度以下に制限するように前記電子機器の動作を変更し、
前記設定温度を変更するユーザ操作である温度変更操作を受け付けた後、又は前記温度変更操作を受け付ける前に、前記表面温度が変更後の設定温度以下に制限されるように前記電子機器を動作させたときの前記電子機器の動作状態を示す状態情報を表示するものである。
【００１１】
本開示の第３の態様に係る制御プログラムは、
電子機器に実行させるための制御プログラムであって、
前記電子機器は、前記電子機器の表面温度を検出する温度検出部を有し、
当該制御プログラムは、
前記温度検出部で検出された表面温度が設定温度を上回る場合、前記表面温度を前記設定温度以下に制限するように前記電子機器の動作を変更し、
前記設定温度を変更するユーザ操作である温度変更操作を受け付けた後、又は前記温度変更操作を受け付ける前に、前記表面温度が変更後の設定温度以下に制限されるように前記電子機器を動作させたときの前記電子機器の動作状態を示す状態情報を表示する、
処理を、前記電子機器に実行させるためのプログラムである。
【発明の効果】
【００１２】
本開示により、上記課題を解決する電子機器、温度設定方法、及び制御プログラムを提供することができる。上記課題は、ユーザに低温やけどを生じさせないように電子機器を動作させるために、ユーザに電子機器の動作状態を把握させながら設定温度を変更させることができないというものである。
【図面の簡単な説明】
【００１３】
【図１】実施形態１に係る電子機器の一構成例を示すブロック図である。
【図２】実施形態２に係る無線通信装置の一構成例を示すブロック図である。
【図３】実施形態３に係る無線通信装置の一構成例を示すブロック図である。
【図４】図３の無線通信装置における温度設定処理の一例を説明するためのフロー図である。
【図５】図３の無線通信装置において記憶される設定情報の一例を説明するための図である。
【図６】図３の無線通信装置において表示される設定画像の一例を示す図である。
【図７】図３の無線通信装置において表示される状態情報画像の一例を示す図である。
【図８】実施形態４に係る無線通信装置における温度設定処理の一例を説明するためのフロー図である。
【図９】実施形態４に係る無線通信装置において記憶される設定情報の一例を説明するための図である。
【図１０】電子機器に含まれるハードウェア構成の一例を示す図である。
【発明を実施するための形態】
【００１４】
以下、図面を参照して、実施形態について説明する。なお、実施形態において、同一又は同等の要素には、同一の符号を付し、重複する説明は省略される。
【００１５】
＜実施形態１＞
図１は、実施形態１に係る電子機器の一構成例を示すブロック図である。
図１に示すように、電子機器１は、制御部１１、操作部（ユーザ操作部）１２、及び表示部１３を有する。電子機器１としては、通信装置、パーソナルコンピュータなど、様々な機器が挙げられる。通信装置としては、モバイル端末、ルータ装置などが適用できるが、これに限ったものではない。なお、モバイル端末としては、携帯電話機（スマートフォンと称されるものも含む）、通信機能付きのモバイルＰＣ等の端末が挙げられる。
【００１６】
制御部１１は、例えば、ＣＰＵ（Central Processing Unit）、作業用メモリ、及び不揮発性の記憶装置などによって、或いは集積回路（Integrated Circuit）によって実現される。制御部１１は、この例に限らず、電子機器１の全体又は少なくとも一部（本実施形態に係る制御対象となる部分）を制御する制御部１１としての機能が果たせればよい。
【００１７】
操作部１２及び表示部１３は、ユーザインタフェースとして機能する。操作部１２は、ユーザ操作を受け付ける部位である。表示部１３は、各種情報を示す画像を表示する部位で、ＬＣＤ（Liquid Crystal Display）パネル等の表示パネルなどで実現される。ユーザインタフェースはタッチパネルを有することができる。この場合、操作部１２は、例えば表示部１３に設けたタッチセンサ及び表示部１３に表示させたＧＵＩ（Graphical User Interface）画像により構成することができる。ＧＵＩ画像は、制御部１１に設けたメモリ等の記憶部に格納しておき、制御部１１の制御により読み出して表示部１３に表示させることができる。また、操作部１２は、ハードウェアキーとしての操作ボタンを有するように構成することができる。
【００１８】
本実施形態に係る電子機器１は、さらに温度センサ等で構成される温度検出部１４を有する。温度検出部１４は、電子機器１の表面温度を検出する。電子機器１における温度検出部１４は、電子機器１の表面付近、例えば筐体の裏側、表示パネル、操作ボタンなどに設けることが好ましい。但し、温度検出部１４の配置は、これらのいずれかに限ったものではない。電子機器１の表面温度を、例えば熱源となるデバイスの温度を計測（測定）した計測値から推測することで検出してもよい。
【００１９】
制御部１１は、温度検出部１４で検出された表面温度が設定温度を上回る場合、表面温度を設定温度以下に制限するように電子機器１の動作を変更する。どのように動作を変更するのかについては、電子機器１の種類、電子機器１がもつ機能、性能などにより異なることになる。
【００２０】
そして、本実施形態の主たる特徴として、制御部１１は、操作部１２で設定温度を変更するユーザ操作である温度変更操作を受け付けた後、状態情報を表示部１３に表示させる。制御部１１は、上記温度変更操作に従って設定温度を変更することになる。電子機器１において実行されるこのような処理（温度設定処理）は、低温やけど保護機能の設定処理に該当する。
【００２１】
表示部１３に表示させる上記状態情報は、表面温度が変更後の設定温度以下に制限されるように電子機器１を動作させたときの電子機器１の動作状態を示す情報である。電子機器１が複数の機能をもつ機器である場合、この動作状態は各機能の動作状態とすることができる。また、上記状態情報は、表示部１３に画像として表示させることができる。
【００２２】
若しくは、制御部１１は、操作部１２で設定温度を変更するユーザ操作である温度変更操作を受け付ける前に、上記状態情報を表示部１３表示させる。
【００２３】
以上、本実施形態に係る電子機器１によれば、電子機器１で低温やけどを生じさせないようにユーザが希望する設定温度に設定することができ、且つ、その設定を、電子機器１の動作状態をユーザに把握させながら実施させることができる。つまり、電子機器１によれば、ユーザに低温やけどを生じさせないように電子機器１を動作させるために、ユーザに電子機器１の動作状態を把握させながら設定温度を変更させることができる。さらに換言すれば、電子機器１によれば、低温やけどの発症を防ぐために一定の温度以上とならないようにする保護動作の温度条件を、ユーザが電子機器１の動作状態（電子機器１の各機能の動作状態）を確認しつつ変更することが可能となる。よって、電子機器１のユーザは、電子機器１の動作内容を納得した上で自身に合った温度条件を選ぶことができる。
【００２４】
＜実施形態２＞
実施形態２について、図２を併せて参照しながら、実施形態１との相違点を中心に説明するが、実施形態１で説明した様々な例が適用できる。図２は、実施形態２に係る電子機器の一例としての無線通信装置の一構成例を示すブロック図である。
【００２５】
図２に示すように、本実施形態に係る無線通信装置１０ａは、制御部１１、操作部１２、表示部１３、及び温度検出部１４を有する。制御部１１は、無線通信装置１０ａの全体の動作を制御する部位で、実施形態１で説明したように、例えばＣＰＵ等で構成することができる。温度検出部１４は、無線通信装置１０ａの表面温度を検出する。
【００２６】
また、無線通信装置１０ａは、通信部の例としての、ＷＡＮ（Wide Area Network）無線制御部１５ａ及びＬＡＮ（Local Area Network）無線制御部１５ｂを有する。ＷＡＮ無線制御部１５ａは、ＬＴＥ（Long Term Evolution）やＷｉＭＡＸ（登録商標。以下同様。；Worldwide Interoperability for Microwave Access）公衆回線とのＷＡＮ無線通信の送受信制御を行う。ＬＡＮ無線制御部１５ｂは、ＩＥＥＥ（The Institute of Electrical and Electronics Engineers, Inc.）８０２．１１ｂ／ｇｎ／ａｃやＢｌｕｅｔｏｏｔｈ（登録商標。以下同様。）などのＬＡＮ無線通信の送受信制御を行う。
【００２７】
無線通信装置１０ａは、このような構成により、ＬＴＥやＷｉＭＡＸなどの公衆回線とタブレット端末やＰＣなどの情報通信機器との無線ＬＡＮ通信を中継する携帯可能な移動通信端末として機能する。
【００２８】
さらに、無線通信装置１０ａは、設定情報１６ａを記憶するメモリ１６を有する。設定情報１６ａは、無線通信装置１０ａにおける動作に関する各種設定内容を示す情報であり、低温やけどを保護する保護動作の設定内容を示す情報を含む。なお、メモリ１６は、例えばフラッシュメモリなどの半導体メモリとすることができるが、これに限ったものではない。
【００２９】
そして、ＷＡＮ無線制御部１５ａ及びＬＡＮ無線制御部１５ｂは、熱源となり得る部位である。よって、本実施形態の主たる特徴として、無線通信装置１０ａの動作状態は、上記通信部での通信状態（例えば通信速度）を含む。この場合、ＷＡＮ無線制御部１５ａ及びＬＡＮ無線制御部１５ｂは、制御部１１からの制御などにより通信速度を変更する機能を有するものとする。
【００３０】
即ち、無線通信装置１０ａの制御部１１は、操作部１２で温度変更操作を受け付けた後又は受け付ける前に、表面温度が変更後の設定温度以下に制限されるように電子機器１を動作させたときの通信状態を示す状態情報を、表示部１３に表示させる。ユーザは、無線通信装置１０ａを使用するに際し、通信状態を気にかけているが、このような構成により、ユーザに通信状態を確認させつつ温度条件を設定させることができる。なお、上記状態情報は、ＷＡＮ無線制御部１５ａでの通信状態を示す情報及びＬＡＮ無線制御部１５ｂでの通信状態を示す情報のいずれか一方を含まないようにすることもできる。
【００３１】
制御部１１が、このような状態情報を表示させるため、並びに実際に設定温度を変更して無線通信装置１０ａの動作を変更するために、設定情報１６ａに保護動作の設定内容を示す情報が含まれている。この情報は、設定温度（表面温度の上限となる制限温度）とそれに対応する無線通信装置１０ａの動作状態とを関連付けておくことができる。
【００３２】
無線通信装置１０ａにおいて実行される温度設定処理の一例は、まず、ユーザが操作部１２を操作し、無線通信装置１０ａの低温やけど保護の設定温度を変更しようとしたときに開始することができる。このとき、制御部１１は、メモリ１６に格納された設定情報１６ａを参照し、変更しようとする設定温度における無線通信装置１０ａの各機能の動作状態を表示部１３に表示し、ユーザに設定温度を変更するか否か及び設定温度を選択させる。
【００３３】
よって、本実施形態に係る無線通信装置１０ａによれば、実施形態１の効果と同様の効果を無線通信装置１０ａについて得ることができ、動作状態として通信状態をユーザに把握させながら設定温度の設定を実施させることができる。例えば、無線通信装置１０ａの表面温度より通信速度を優先した動作をユーザが設定することができる。
【００３４】
なお、本実施形態では、制御部１１が実際に設定温度を変更するタイミングについては問わない。例えば、制御部１１は、温度設定の変更を実行しておき、その後、キャンセルするユーザ操作を受けた場合にのみ変更をキャンセルして元に戻すようにしてもよい。このタイミングの好ましい例については実施形態３で説明する。
【００３５】
なお、本実施形態は、有線での通信を行う通信装置に適用することもできる。例えば、ＷＡＮ無線制御部１５ａの代わりにＷＡＮ側との有線での通信を制御する通信制御部を設けることができ、ＬＡＮ無線制御部１５ｂの代わりに、上記情報通信機器との有線通信を制御する通信制御部を設けることができる。無論、ＷＡＮ側、情報通信機器側のいずれか一方のみに有線通信を適用することもできる。
【００３６】
＜実施形態３＞
実施形態３について、図３〜図７を併せて参照し、図１の電子機器１の一例として無線通信装置を挙げながら、実施形態２との相違点を中心に説明する。但し、実施形態３は、実施形態１，２で説明した様々な例が適用できる。
【００３７】
＜＜構成例＞＞
図３は、実施形態３に係る無線通信装置の一構成例を示すブロック図である。
図３に示すように、本実施形態に係る無線通信装置１０ｂは、図２の無線通信装置１０ａと比較し、メモリ１６内に記憶されているものが異なり、また、電池１７及び充電部１８を有する点も異なる。
【００３８】
メモリ１６内には、無線通信装置１０ｂで動作するアプリケーション（ソフトウェア）プログラム（以下、アプリケーション）１６ｂと、無線通信装置１０ｂにおける動作に関する各種設定内容を示す設定情報１６ｃと、が記憶されている。
【００３９】
アプリケーション１６ｂは、ユーザが無線通信装置１０ｂの動作状態の視認や設定の選択を可能とするためプログラムであり、本実施形態に係る温度設定処理を制御部１１に実行させるためのプログラムである。後述する制御部１１における処理は、特に言及しないが、アプリケーション１６ｂを実行することで行う。但し、本実施形態においてもメモリ１６内のアプリケーション１６ｂは必須ではなく、制御部１１が単独で処理を実行することもできる。また、設定情報１６ｃは、図２の設定情報１６ａと同様に、低温やけどの保護動作の設定内容を示す情報を含む。
【００４０】
電池１７は、外部からの電源供給を受けていない場合に無線通信装置１０ｂへ電源を供給する充放電可能な二次電池である。充電部１８は、外部からの電源供給を受け、電池１７への充電を制御する。無線通信装置１０ｂは、電池１７及び充電部１８を有することで、持ち運び可能な装置となる。そして、電池１７及び充電部１８は、熱源となり得る部位であり、無線通信装置１０ｂの動作状態に、充電機能（充電状態）を含めることができる。また、無線通信装置１０ｂの動作状態に、放電状態を含めることもできる。但し、放電状態は、例えばＷＡＮ無線制御部１５ａ及びＬＡＮ無線制御部１５ｂの動作状態に対応しているとみなすことができるため、上記動作状態に含めないこともできる。
【００４１】
そして、本実施形態における制御部１１は、温度変更操作に応じた変更を実行する前に、状態情報を表示部１３に表示させる。つまり、本実施形態では、制御部１１が、少なくともユーザが変更したい設定温度（制限温度）での無線通信装置１０ｂの動作状態をユーザに確認させた後のタイミングで、設定温度の変更を実行する。これにより、ユーザが確認しないうちから設定温度を変更するような処理を行わなくて済み、ユーザが納得した上で設定温度の変更を行うことができる。
【００４２】
特に、制御部１１は、状態情報を表示部１３に表示させた状態で、操作部１２から設定温度の変更を決定するユーザ操作を受け付けた場合に、設定温度の変更を実行することが好ましい。これにより、ユーザがより納得した上で設定温度の変更を行うことができる。
【００４３】
また、制御部１１は、設定温度を変更するための設定画像を、表示部１３に表示させ、操作部１２で温度変更操作を受け付けた場合、上記設定画像を、状態情報を含むように更新してもよい。これにより、ユーザは、まず温度設定を行う操作を行い、その操作がどういう動作状態になるかを認識することができ、納得して設定温度の変更を行うことができる。ここで、設定画像には、現在の設定温度を示す情報を含めておくことが好ましい。
【００４４】
＜＜動作例＞＞
実施形態３に係る無線通信装置１０ｂの好ましい動作例について、図４〜図７を併せて参照しながら説明する。図４は、無線通信装置１０ｂにおける温度設定処理の一例を説明するためのフロー図、図５は、無線通信装置１０ｂにおいて記憶される設定情報の一例を説明するための図である。図６は、無線通信装置１０ｂにおいて表示される設定画像の一例を示す図、図７は、無線通信装置１０ｂにおいて表示される状態情報画像の一例を示す図である。
【００４５】
図４で例示する温度設定処理の前提として、メモリ１６内の設定情報１６ｃには、図５に示す情報５０のような情報が含まれるものとする。情報５０は、無線通信装置１０ｂにおける低温やけどに対する保護のための温度設定（制限温度の設定）、その温度設定にしたときの無線通信装置１０ｂの各機能の動作状態（動作制限状態）、及びユーザへの通知内容を関連付けて、一覧としたものである。
【００４６】
情報５０において、ＷＡＮ無線制御部１５ａ及びＬＡＮ無線制御部１５ｂの動作状態を示す「１」〜「５」は、各部位（各機能）における通信速度の状態を示している。「５」が最も高速な通信速度であり、消費電流が最も大きくなって無線通信装置１０ｂの表面温度が最も高くなる状態に該当する。「１」がその逆で、無線通信装置１０ｂの表面温度が最も低くなる状態に該当する。
【００４７】
通信速度の制限は、通信速度自体の制限のみでなく、通信規格の変更、送受信に使用するアンテナの使用数、変調方法などの通信モードなどにより、無線通信装置１０ｂの提供者により設定されているものとする。ここで、通信規格は、例えばＩＥＥＥ８０２．１１ｂ／ｇ／ｎ／ａｃやＢｌｕｅｔｏｏｔｈなどが挙げられる。
【００４８】
また、充電機能に関し、大きい電流で充電を行っているほど発熱が大きくなり、無線通信装置１０ｂの表面温度が高くなる。よって、充電部１８は、表面温度を制限させるときには、充電の電流の値を低く制限した状態で動作させる。これにより、充電部１８及び電池１７による表面温度の上昇への影響を小さくすることができる。
【００４９】
また、ここで説明する温度設定処理の開始時、情報５０で示すように、温度設定（制限温度設定）はデフォルト値（初期値）として５５℃となっているものとする。また、制限温度設定の値と通知内容に記載されている低温やけどに対する危険性（接触時間、低温やけどの発生有無）は、無論、ＩＳＯ１３７３２−１規格に準じた内容とすることが好ましい。但し、情報５０では、本動作例の説明を目的として概略的に例示している。
【００５０】
このような情報５０が設定情報１６ｃとしてメモリ１６に記録されていることを前提とし、図４を参照しながら温度設定処理の一例を説明する。ユーザは、低温やけどの保護機能による通信機能の制限、若しくは、無線通信装置１０ｂの表面温度に不満を感じたときに、設定用のアプリケーション１６ｂを起動させる操作を行う。その操作を受け付けた操作部１２がその操作情報を制御部１１に伝え、制御部１１がメモリ１６に格納されたアプリケーション１６ｂを起動する（ステップＳ１）。
【００５１】
制御部１１は、現在動作している制限温度設定と各機能（ＷＡＮ無線制御部１５ａ、ＬＡＮ無線制御部１５ｂ、及び充電部１８）の動作状態を示す内容（状態情報）を表示部１３に表示することで、ユーザに通知する（ステップＳ２）。この例では、情報５０に示したように、初期状態における制限温度設定が５５℃となっている。よって、図６に示す設定画像６０のように、制限温度“５５℃”とともに、“ＷＡＮ設定：３”、“ＬＡＮ設定：３”、“充電設定：動作”に基づいた現状の状態情報６１が表示される。
【００５２】
また、設定画像６０は、ユーザが選択可能な制限温度の一覧及び選択のためのラジオボタン６２を含む。なお、設定画像６０は、ユーザが希望する制限温度として低温やけどを生じさせないようなある程度の範囲の任意の温度を入力する入力欄を設けることもできる。但し、無線通信装置１０ｂは、その機能の種類及び各機能の動作状態の種類（例えば情報５０に含まれる通信に関する５段階、充電に関する２段階）が設計上決まることが多い。そのため、無線通信装置１０ｂにおいて制限温度として設定できる値が決まることが多く、そのような場合には設定画像６０で例示したように複数の選択肢の中からユーザに選択させることが望ましい。また、設定画像６０は、ラジオボタン６２が選択された状態で次の画像（図７の状態情報画像７０）へと遷移するためのＯＫボタン６３を含む。
【００５３】
ユーザは、設定画像６０として表示された内容を確認する。制限温度設定の変更を行いたいユーザは、操作部１２を使用して変更したい制限温度設定に対応するラジオボタン６２を選択し、ＯＫボタン６３を選択することで、温度変更操作を行う。制御部１１は、ユーザが温度変更操作を行ったか否かを、操作部１２からの操作情報を受けて判定する（ステップＳ３）。ここでは、説明の簡略化のため、ユーザがアプリケーション１６ｂを終了させる操作を行った場合、ステップＳ３でＮＯと判定される例を挙げる。ユーザは、制限温度設定の変更を行いたくない場合、操作部１２を使用してアプリケーション１６ｂを終了させる操作を行い、制御部１１はその操作情報を受けて、アプリケーション１６ｂを終了させ（ステップＳ７）、現状の動作状態を継続する。
【００５４】
一方で、ステップＳ３でＹＥＳの場合、制御部１１は、選択された制限温度設定の値に関連付けられた各機能の動作状態を示す内容（状態情報）及び通知内容（低温やけどの危険度を示す情報）を設定情報１６ｃ（図５の情報５０）から読み出す。そして、制御部１１は、読み出した情報を表示部１３に表示させることで、ユーザに通知する（ステップＳ４）。
【００５５】
この例では、設定画像６０に示すように、ユーザが高速な通信機能を望み、制限温度設定の現在値である５５℃から６０℃への設定変更を選択した場合について説明する。この場合、図７に示す状態情報画像７０のように、情報５０に基づき制限温度“６０℃”に関連付けられた“ＷＡＮ設定：４”、“ＬＡＮ設定：４”、“充電設定：制限”に基づいた状態情報７１が表示される。
【００５６】
また、状態情報画像７０は、低温やけどの危険性を示す通知内容７２も含んでいる。なお、通知内容７２は、情報５０の通知内容と基本的に同じものが表示される。情報５０における６０℃についての通知内容は通知内容７２で例示したが、例えば５０℃についての通知内容は、“温度制御動作  通信速度制限（２）”となる。ここで「（２）」とは、通信速度の「１」〜「５」で示される上述した動作状態のうちの１つを指す。
【００５７】
また、状態情報画像７０は、選択した制限温度設定を実行するためのＯＫボタン７３と、キャンセルしてアプリケーション１６ｂを終了させるためのキャンセルボタン７４と、を含む。
【００５８】
ユーザは、表示部１３に表示された状態情報画像７０にて制限温度設定の各機能の動作状態と通知内容とを確認し、選択した制限温度設定を適用するか否かを決定する。ユーザは、操作部１２を使用してＯＫボタン７３又はキャンセルボタン７４を選択することで、その決定の結果を入力する。制御部１１は、操作部１２からの操作情報を受け取り、選択された制限温度設定を適用するか否かを判定し（ステップＳ５）、ＮＯの場合にはステップＳ３に戻って異なる制限温度設定を選択可能とする。
【００５９】
一方、ステップＳ５でＹＥＳの場合、制御部１１は、選択された制限温度（ここでは６０℃）に対応した動作制限に変更を行い（ステップＳ６）、アプリケーション１６ｂを終了させる（ステップＳ７）。
【００６０】
ステップＳ７に続き、制御部１１は、温度検出部１４での温度検出結果を監視し、表面温度が制限温度設定の温度になったか否かを判定する（ステップＳ８）。制限温度設定“６０℃”（動作状態が“ＷＡＮ設定：４”、“ＬＡＮ設定：４”、“充電設定：制限”）への変更が決定された場合には、制御部１１は、表面温度が６０℃になったか否かを判定することになる。一方で、変更されなかった場合には、制御部１１は、表面温度が初期値の５５℃になったか否かを判定することになる。
【００６１】
ステップＳ８でＮＯの場合には、制御部１１はその監視を継続する。ステップＳ８でＹＥＳとなった段階で、つまり表面温度が設定された制限温度になったことが検出された場合、制御部１１は、設定情報１６ｃ（情報５０）から設定された制限温度設定に関連付けられた通知内容を読み出す。そして、制御部１１は、その通知内容を表示部１３に表示させることで、ユーザに通知する（ステップＳ９）。
【００６２】
この通知内容は、設定されている制限温度を示す情報（つまり現在の表面温度）と、無線通信装置１０ｂの各機能の現在の動作状態を示す情報と、を含むことができる。制限温度設定が６０℃であった場合、通知内容は、情報５０に示される通知内容である“１分以上継続接触にて低温やけどの危険性あり  充電機能制限（又は充電機能停止中との情報でもよい）”となる。ユーザは、表示部１３に表示された通知内容を確認し、制限温度設定を変更したい場合には、操作部１２を使用してアプリケーション１６ｂを起動させる操作を行う。
【００６３】
制御部１１は、ユーザが温度変更を希望する操作を行ったか否かを、操作部１２からの操作情報を受けて判定する（ステップＳ１０）。ここでは、説明の簡略化のため、上述したようにユーザがアプリケーション１６ｂを起動させる操作を行った場合、ステップＳ１０でＹＥＳと判定される例を挙げる。ユーザは、温度変更を希望する場合、操作部１２を使用してアプリケーション１６ｂを起動させる操作を行い、制御部１１はその操作情報を受けて、ステップＳ１へ戻りアプリケーション１６ｂを起動させる。ステップＳ１０でＮＯの場合、制御部１１は、ステップＳ８に戻り温度の監視を継続する。
【００６４】
以上のような処理により、ユーザが設定温度を変更した際の動作状態を確認しないうちから設定温度を変更するような処理を行わなくて済み、ユーザが納得した上で設定温度の変更を行うことができる。また、以上の処理では、ステップＳ５，Ｓ６及び図７の状態情報画像７０で示したように、設定温度の変更を決定するユーザ操作を受け付けた場合に、設定温度の変更を実行している。また、以上の処理では、ステップＳ２〜Ｓ４、図６の設定画像６０及び図７の状態情報画像７０で示したように、設定画像を表示させ、操作部１２で温度変更操作を受け付けた場合に、上記設定画像を、状態情報を含む状態情報画像に更新している。これらにより、ユーザは、納得して設定温度の変更を行うことができる。
【００６５】
また、図７の状態情報画像７０における状態情報７１及び通知内容７２で例示したように、制御部１１は、状態情報とともに、表面温度が変更後の設定温度である場合の低温やけどの危険度を示す情報を、表示部１３に表示させることが好ましい。これにより、ユーザに注意を喚起することができ、ユーザは動作内容を納得した上で自身に合った温度条件を選ぶことができる。即ち、これにより、低温やけどから保護する保護動作の温度条件を、ユーザが低温やけどへの危険性及び無線通信装置１０ｂの動作状態を確認しつつ変更することが可能となる。なお、低温やけどへの危険性を確認できることは、ユーザが低温やけどの保護動作を確認できることを意味する。
【００６６】
また、ステップＳ８，Ｓ９で例示したように、制御部１１は、設定温度の変更が実行され、実際に温度検出部１４で検出された表面温度が設定温度になった場合、設定温度になったことを通知する通知情報を、表示部１３に表示させることが好ましい。これにより、低温やけどの発生する可能性が高い表面温度になったときにユーザが危険性を確認することができる。特に、制御部１１は、この通知情報とともに、無線通信装置１０ｂの現在の動作状態を示す情報を、表示部１３に表示させることが好ましい。
【００６７】
以上、本実施形態では、様々な例を挙げたが、この様々な例のうち１又は複数のみを採用することもできる。また、本実施形態では、電子機器が無線通信装置である例を挙げたが、無線通信装置以外の電子機器についても同様に適用できる。なお、実施形態２においても、本実施形態と同様に温度設定処理のためのアプリケーション１６ｂをメモリ１６に記憶させておいてもよい。
【００６８】
＜実施形態４＞
実施形態４について、図８及び図９を併せて参照し、図１の電子機器１の一例として無線通信装置を挙げながら、実施形態３との相違点を中心に説明する。但し、実施形態４は、実施形態１〜３で説明した様々な例が適用できる。
【００６９】
＜＜構成例＞＞
本実施形態に係る無線通信装置は、実施形態３に係る無線通信装置と同様の構成を有するため、本実施形態でも無線通信装置１０ｂを例に挙げて説明する。
【００７０】
実施形態３では、ユーザは基本的に制限温度を入力又は選択することで設定を行っていたが、ユーザの用途毎又は使用条件毎に選択可能なモード（設定モードと称す）を用意し、ユーザが設定モードの中から１つを選択することでも同様の効果が得られる。
【００７１】
具体的には、本実施形態における操作部１２は、温度変更操作として、無線通信装置１０ｂの動作状態に対応する設定モードを選択するユーザ操作を受け付ける。そのため、本実施形態における制御部１１は、状態情報を設定モードとともに表示部１３に表示させることになる。
【００７２】
そして、制御部１１は、操作部１２でユーザ選択され受け付けられた設定モードで動作するように、無線通信装置１０ｂを制御することになる。つまり、制御部１１は、設定モードに関連付けられた設定温度以下に制限されるように無線通信装置１０ｂを動作させる。
【００７３】
＜＜動作例＞＞
実施形態４に係る無線通信装置１０ｂの好ましい動作例について、図８及び図９を併せて参照しながら説明する。図８は、無線通信装置１０ｂにおける温度設定処理の一例を説明するためのフロー図、図９は、無線通信装置１０ｂにおいて記憶される設定情報の一例を説明するための図である。
【００７４】
実施形態３と異なり、本実施形態では、メモリ１６内の設定情報１６ｃには、図９に示す情報９０のような情報が含まれるものとする。情報９０は、想定されるユーザの使用方法を設定モードとして、温度設定（制限温度の設定）、各機能の動作状態（動作制限状態）の内容、及びユーザへの通知内容を関連付けて、一覧としたものである。
【００７５】
情報９０は、設定モードの例として、“装置に触らない環境”、“通信速度優先”、“通常環境”、“密閉した環境”、及び“小さな子供のいる環境”を含んでいる。なお、情報９０における通信速度については、図５の情報５０と同様に「５」が最も高速で「１」が最も低速であることを示している。また、情報９０では図示しないが、“ＷＡＮ設定：１”、“ＬＡＮ設定：１”、“充電設定：動作”といったような充電に特化した充電モードを、設定モードの一つとして用意しておくこともできる。
【００７６】
ここで説明する温度設定処理の開始時、情報９０で示す設定モードのうち、制限温度設定が５５℃に対応する設定モード“通常環境”になっているものとする。この動作例は、図４の動作例と比較して、主にステップＳ１２〜Ｓ１６が異なる。異なる点は、ユーザが希望する制限温度を選択する代わりに希望する設定モードを選択する点にある。但し、次に説明するように設定モードの選択時にはそれに対応する制限温度も表示しておくことが望ましい。
【００７７】
まず、図４のステップＳ１と同様に、制御部１１がメモリ１６に格納されたアプリケーション１６ｂを起動する（ステップＳ１１）。
【００７８】
次いで、制御部１１は、現在動作している設定モードの名称と、その現在の設定モードにおける制限温度設定及び各機能の動作状態を示す内容（状態情報）とを、表示部１３に表示することで、ユーザに通知する（ステップＳ１２）。この例では、情報９０に示したように、設定モード“通常環境”となっており、その制限温度設定は５５℃となっている。ここで、現状の状態情報は、図６に示す設定画像６０の状態情報６１のような情報に加え、設定モード名が含まれる。さらに、現状の（現在の）設定モードの名称等とともに、変更可能な設定モードの名称の一覧を表示しておき、それらをラジオボタン等によりユーザ選択可能にしておく。
【００７９】
ユーザは、表示部１３に表示された内容を確認する。設定モードの変更を行いたいユーザは、操作部１２を使用して変更したい設定モードを選択し、図６のＯＫボタン６３のようなボタンを選択することで、温度変更操作を行う。制御部１１は、ユーザが温度変更操作（設定モード選択操作）を行ったか否かを、操作部１２からの操作情報を受けて判定する（ステップＳ１３）。ここでは、説明の簡略化のため、ユーザがアプリケーション１６ｂを終了させる操作を行った場合、ステップＳ１３でＮＯと判定される例を挙げる。ユーザは、設定モードの変更を行いたくない場合、操作部１２を使用してアプリケーション１６ｂを終了させる操作を行う。制御部１１は、その操作情報を受けて、アプリケーション１６ｂを終了させ（ステップＳ１７）、現状の設定モードに基づく動作状態を継続する。
【００８０】
一方で、ステップＳ１３でＹＥＳの場合、制御部１１は、選択された設定モードに関連付けられた制限温度の値、各機能の動作状態を示す内容（状態情報）、及び通知内容（低温やけどの危険度を示す情報）を設定情報１６ｃ（図９の情報９０）から読み出す。そして、制御部１１は、読み出した情報を表示部１３に表示させることで、ユーザに通知する（ステップＳ１４）。
【００８１】
この例では、ユーザが小さな子供を持ち、無線通信装置１０ｂの温度を低くし安全性を高めたいために、設定モード“小さな子供のいる環境”を選択した場合について説明する。この場合は、情報５０に基づき設定モード“小さな子供のいる環境”に関連付けられた“ＷＡＮ設定：１”、“ＬＡＮ設定：１”、“充電設定：制限”に基づいた状態情報が表示される。上述したように、この設定モードに関連付けられた制限温度の値“４０℃”を併せて表示させることが好ましい。また、制御部１１は、状態情報とともに、低温やけどの危険性を示す通知内容も表示部１３に表示させることが好ましい。但し、この例では危険性がないため、制御部１１は、通知内容は表示させなくてもよいし、危険性がない旨を表示させてもよい。
【００８２】
ユーザは、表示部１３に表示された状態情報等を確認し、選択した設定モードを適用するか否かを決定する。ユーザは、操作部１２を使用してその決定の結果を入力する。制御部１１は、操作部１２からの操作情報を受け取り、選択された設定モードを適用するか否かを判定し（ステップＳ１５）、ＮＯの場合にはステップＳ１３に戻って異なる設定モードを選択可能とする。
【００８３】
一方、ステップＳ１５でＹＥＳの場合、制御部１１は、選択された設定モード（ここでは“ＷＡＮ設定：１”、“ＬＡＮ設定：１”、“充電設定：制限”）に対応した動作制限に変更を行う（ステップＳ１６）。その後、制御部１１は、アプリケーション１６ｂを終了させる（ステップＳ１７）。
【００８４】
ステップＳ１７に続き、制御部１１は、温度検出部１４での温度検出結果を監視し、表面温度が現在の設定モードの制限温度になったか否かを判定する（ステップＳ１８）。設定モード“小さな子供のいる環境”への変更が決定された場合には、制御部１１は、表面温度が４０℃になったか否かを判定することになる。一方で、変更されなかった場合には、制御部１１は、表面温度が設定モード“通常環境”に対応する５５℃になったか否かを判定することになる。
【００８５】
ステップＳ１８でＮＯの場合には、制御部１１はその監視を継続する。ステップＳ１８でＹＥＳとなった段階で、つまり表面温度が設定モードに関連付けられた制限温度になったことが検出された場合、制御部１１は、設定情報１６ｃ（情報９０）から設定された設定モードに関連づけられた通知内容を読み出す。そして、制御部１１は、その通知内容を表示部１３に表示させることで、ユーザに通知する（ステップＳ１９）。
【００８６】
この通知内容は、設定されている設定モードを示す情報と、無線通信装置１０ｂの各機能の現在の動作状態を示す情報と、を含むことができ、さらに制限温度の値を含むことができる。設定モード“小さな子供のいる環境”であった場合、通知内容は、情報９０に示される通知内容である“通信速度制限（１）  充電機能制限”となる。ユーザは、表示部１３に表示された通知内容を確認し、設定モードを変更したい場合には、操作部１２を使用してアプリケーション１６ｂを起動させる操作を行う。
【００８７】
制御部１１は、図４のステップＳ１０及びその後の処理と同様に、ユーザが温度変更を希望する操作を行ったか否かを、操作部１２からの操作情報を受けて判定し（ステップＳ１０）、その判定結果に従ってステップＳ１１又はステップＳ１８へ戻ることになる。
【００８８】
本実施形態に係る無線通信装置１０ｂは、以上のような処理を行うことにより、ユーザが設定したい温度を指定するのではなく設定したい条件を複数の設定モードの中から１つ選択することで、低温やけど保護の制限温度を変更することができるようになる。
【００８９】
＜他の実施形態＞
実施形態１〜４に係る電子機器１、無線通信装置１０ａ、無線通信装置１０ｂは、いずれも次のようなハードウェア構成を有することができる。図１０は、電子機器１、無線通信装置１０ａ、及び無線通信装置１０ｂのいずれかに含まれるハードウェア構成の一例を示す図である。
【００９０】
図１０に示す電子機器１００は、プロセッサ１０１及びメモリ１０２を有する。実施形態１，２で説明した制御部１１は、プロセッサ１０１がメモリ１０２に記憶された制御プログラムを読み込んで実行することにより実現される。つまり、この制御プログラムは、プロセッサ１０１を図１又は図２の制御部１１として機能させるためのプログラムである。この制御プログラムは、電子機器１００に、図１又は図２の制御部１１における処理（温度設定処理を含む）を実行させるためのプログラムであり、アプリケーション１６ｂとして例示したものである。また、実施形態３，４で説明した図３の制御部１１及びメモリ１６は、それぞれプロセッサ１０１及びメモリ１０２とすることができる。
【００９１】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）を含む。さらに、この例は、ＣＤ−ＲＯＭ（Read Only Memory）、ＣＤ−Ｒ、ＣＤ−Ｒ／Ｗを含む。さらに、この例は、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００９２】
さらに、上述した様々な実施形態において、無線通信装置等の電子機器における温度設定処理の手順を説明したように、本開示は、電子機器の表面温度を検出する温度検出部を有する電子機器によって実行される温度設定方法としての形態も採り得る。この温度設定方法は、温度検出部で検出された表面温度が設定温度を上回る場合、表面温度を設定温度以下に制限するように電子機器の動作を変更する。また、この温度設定方法は、温度変更操作を受け付けた後、又はその温度変更操作を受け付ける前に、表面温度が変更後の設定温度以下に制限されるように電子機器を動作させたときの電子機器の動作状態を示す状態情報を表示する。なお、その他の例については、上述した様々な実施形態で説明した通りである。
【００９３】
なお、本開示は上記実施形態に限られたものではなく、趣旨を逸脱しない範囲で適宜変更することが可能である。また、本開示は、それぞれの実施形態を適宜組み合わせて実施されてもよい。
【００９４】
＜付記＞
上記の実施形態の一部又は全部は、以下の付記のようにも記載されうるが、以下には限られない。
【００９５】
（付記１）
操作部、表示部、及び制御部を有する電子機器であって、
前記電子機器の表面温度を検出する温度検出部をさらに有し、
前記制御部は、
前記温度検出部で検出された表面温度が設定温度を上回る場合、前記表面温度を前記設定温度以下に制限するように前記電子機器の動作を変更し、
前記操作部で前記設定温度を変更するユーザ操作である温度変更操作を受け付けた後、又は前記温度変更操作を受け付ける前に、前記表面温度が変更後の設定温度以下に制限されるように前記電子機器を動作させたときの前記電子機器の動作状態を示す状態情報を、前記表示部に表示させる、
電子機器。
【００９６】
（付記２）
前記制御部は、前記温度変更操作に応じた変更を実行する前に、前記状態情報を前記表示部に表示させる、
付記１に記載の電子機器。
【００９７】
（付記３）
前記制御部は、前記状態情報を前記表示部に表示させた状態で、前記操作部から前記設定温度の変更を決定するユーザ操作を受け付けた場合に、前記設定温度の変更を実行する、
付記２に記載の電子機器。
【００９８】
（付記４）
前記制御部は、
前記設定温度を変更するための設定画像を、前記表示部に表示させ、
前記操作部で前記温度変更操作を受け付けた場合、前記設定画像を、前記状態情報を含むように更新する、
付記１から３のいずれか１に記載の電子機器。
【００９９】
（付記５）
前記制御部は、前記状態情報とともに、前記表面温度が前記変更後の設定温度である場合の低温やけどの危険度を示す情報を、前記表示部に表示させる、
付記１から４のいずれか１に記載の電子機器。
【０１００】
（付記６）
前記操作部は、前記温度変更操作として、前記電子機器の動作状態に対応する設定モードを選択するユーザ操作を受け付ける、
付記１から５のいずれか１に記載の電子機器。
【０１０１】
（付記７）
前記制御部は、前記設定温度の変更が実行され、実際に前記温度検出部で検出された表面温度が前記設定温度になった場合、前記設定温度になったことを通知する通知情報を、前記表示部に表示させる、
付記１から６のいずれか１に記載の電子機器。
【０１０２】
（付記８）
前記制御部は、前記通知情報とともに、前記電子機器の現在の動作状態を示す情報を、前記表示部に表示させる、
付記７に記載の電子機器。
【０１０３】
（付記９）
前記電子機器は、通信部を有する通信装置であり、
前記電子機器の動作状態は、前記通信部での通信状態を含む、
付記１から８のいずれか１に記載の電子機器。
【０１０４】
（付記１０）
電子機器によって実行される温度設定方法であって、
前記電子機器は、前記電子機器の表面温度を検出する温度検出部を有し、
当該温度設定方法は、
前記温度検出部で検出された表面温度が設定温度を上回る場合、前記表面温度を前記設定温度以下に制限するように前記電子機器の動作を変更し、
前記設定温度を変更するユーザ操作である温度変更操作を受け付けた後、又は前記温度変更操作を受け付ける前に、前記表面温度が変更後の設定温度以下に制限されるように前記電子機器を動作させたときの前記電子機器の動作状態を示す状態情報を表示する、
温度設定方法。
【０１０５】
（付記１１）
前記温度変更操作に応じた変更を実行する前に、前記状態情報を表示する、
付記１０に記載の温度設定方法。
【０１０６】
（付記１２）
前記状態情報とともに、前記表面温度が前記変更後の設定温度である場合の低温やけどの危険度を示す情報を表示する、
付記１０又は１１に記載の温度設定方法。
【０１０７】
（付記１３）
電子機器に実行させるための制御プログラムであって、
前記電子機器は、前記電子機器の表面温度を検出する温度検出部を有し、
当該制御プログラムは、
前記温度検出部で検出された表面温度が設定温度を上回る場合、前記表面温度を前記設定温度以下に制限するように前記電子機器の動作を変更し、
前記設定温度を変更するユーザ操作である温度変更操作を受け付けた後、又は前記温度変更操作を受け付ける前に、前記表面温度が変更後の設定温度以下に制限されるように前記電子機器を動作させたときの前記電子機器の動作状態を示す状態情報を表示する、
処理を、前記電子機器に実行させるためのプログラムである、
制御プログラム。
【０１０８】
（付記１４）
前記温度変更操作に応じた変更を実行する前に、前記状態情報を表示する、
付記１３に記載の制御プログラム。
【０１０９】
（付記１５）
前記状態情報とともに、前記表面温度が前記変更後の設定温度である場合の低温やけどの危険度を示す情報を表示する、
付記１３又は１４に記載の制御プログラム。
【符号の説明】
【０１１０】
１、１００  電子機器
１０ａ、１０ｂ  無線通信装置
１１  制御部
１２  操作部
１３  表示部
１４  温度検出部
１５ａ  ＷＡＮ無線制御部
１５ｂ  ＬＡＮ無線制御部
１６  メモリ
１６ａ、１６ｃ  設定情報
１６ｂ  アプリケーション
１７  電池
１８  充電部
５０、９０  情報
６０  設定画像
６１  現状の状態情報
６２、７３  ラジオボタン
６３  ＯＫボタン
７０  状態情報画像
７１  状態情報
７２  通知内容
７４  キャンセルボタン
１０１  プロセッサ
１０２  メモリ
【図１】
2019091278.tif 000003
【図２】
2019091278.tif 000004
【図３】
2019091278.tif 000005
【図４】
2019091278.tif 000006
【図５】
2019091278.tif 000007
【図６】
2019091278.tif 000008
【図７】
2019091278.tif 000009
【図８】
2019091278.tif 000010
【図９】
2019091278.tif 000011
【図１０】
2019091278.tif 000012